(57)【要約】【課題】断熱材の剛性を用いて、断熱材を押し込むようにして、断熱材を接触部へと挿入する場合と比較して、接触部に断熱材を確実に挿入することができる画像形成装置、定着装置及び断熱材を提供する。【解決手段】画像形成装置１０は、画像形成部１２０と、連続紙Ｐを加熱する主加熱ロール２１０と、連続紙Ｐと主加熱ロール２１０とが接触する接触部Ｎに挿入される断熱シート３００と、断熱シート３００を、主加熱ロール２１０と連続紙Ｐとの間に挿入された第１の位置と、連続紙Ｐ及び主加熱ロール２１０とから離間する第２の位置との間で移動させる移動機構４００とを有し、断熱シート３００には連結部３８０が連結されていて、移動機構４００は、連結部３８０を介して、接触部Ｎに引き込むように断熱シート３００を移動させる。【選択図】図７
2019053201.tif 000002
【特許請求の範囲】
【請求項１】
連続記録媒体の表面にトナー像を形成する像形成部と、
トナー像が形成された連続記録媒体に接触し、接触した連続記録媒体を加熱する加熱部材と、
前記加熱部材と連続記録媒体とが接触する接触部に挿入される断熱材と、
前記断熱材を、前記加熱部材と連続記録媒体との間に挿入された第１の位置と、連続記録媒体及び前記加熱部材とから離間する第２の位置との間で移動させる移動機構と、
を有し、
前記断熱材には、移動方向における両端側からそれぞれに突出するように連結部が連結されていて、
前記移動機構は、前記連結部を介して、前記接触部に引き込むように前記断熱材を移動させる画像形成装置。
【請求項２】
前記移動機構は、前記断熱材を一端部側から巻き取る巻取部を有する請求項１記載の画像形成装置。
【請求項３】
前記巻取部は、連続記録媒体の移動方向における前記接触部の上流側から、連続記録媒体の移動方向における前記接触部の下流側へと前記断熱材を移動させるように前記断熱材を巻き取る請求項２記載の画像形成装置。
【請求項４】
前記移動機構は、前記断熱材を、他端部側から巻き取る他の巻取部をさらに有する請求項１から３いずれか記載の画像形成装置。
【請求項５】
前記他の巻取部は、連続記録媒体の移動方向における前記接触部の下流側から、連続記録媒体の移動方向における前記接触部の上流側へと前記断熱材を移動させるように前記断熱材を巻き取る請求項４記載の画像形成装置。
【請求項６】
連続記録媒体の前記加熱部材が接触する側の面とは逆側の面に接触し、連続記録媒体を前記加熱部材に押し付ける押付部材をさらに有する請求項１から５いずれか記載の画像形成装置。
【請求項７】
前記押付部材は、前記加熱部材に接触する接触位置と前記加熱部材から離間する離間する離間位置の間で移動する請求項６記載の画像形成装置。
【請求項８】
連続記録媒体の前記加熱部材が接触する側の面とは逆側の面に接触し、連続記録媒体を加熱する補助加熱部材をさらに有する請求項１から５いずれか記載の画像形成装置。
【請求項９】
前記補助加熱部材は、前記加熱部材に接触する接触位置と前記加熱部材から離間する離間位置との間で移動する請求項８記載の画像形成装置。
【請求項１０】
前記断熱材は、
熱絶縁材料から形成されている第１の層と、
連続記録媒体に接触し、連続記録媒体に接触する面の動摩擦係数が前記第１の層よりも低い第２の層と、
を有する請求項１から９いずれか記載の画像形成装置。
【請求項１１】
前記断熱材は、前記加熱部材に接触し、前記加熱部材に接触する面の動摩擦係数が前記第１の層よりも低い第３の層をさらに有する請求項１０記載の画像形成装置。
【請求項１２】
連続記録媒体と前記断熱材との間に空気を吹き付ける吹付装置をさらに有する請求項１から１１記載の画像形成装置。
【請求項１３】
前記吹付装置は、連続記録媒体の搬送方向における上流側から連続記録媒体の搬送方向における下流側へと向けて空気を吹き付ける請求項１２記載の画像形成装置。
【請求項１４】
前記断熱材は、前記吹付け装置が吹き付けた空気を、連続記録媒体が移動する方向と交わる方向に広がるように案内する案内部を有する請求項１２又は１３記載の画像形成装置。
【請求項１５】
トナー像が形成された連続記録媒体に接触し、接触した連続記録媒体を加熱する加熱部材と、
前記加熱部材と連続記録媒体とが接触する接触部に挿入される断熱材と、
前記断熱材を、前記加熱部材と連続記録媒体との間に挿入された第１の位置と、連続記録媒体及び前記加熱部材とから離間する第２の位置との間で移動させる移動機構と、
を有し、
前記断熱材には、移動方向における両端側からそれぞれに突出するように連結部が連結されていて、
前記移動機構は、前記連結部を介して、前記接触部に引き込むように前記断熱材を移動させる定着装置。
【請求項１６】
トナー像が形成された連続記録媒体に接触して連続記録媒体を加熱する加熱部材と連続記録媒体との間に挿入され、
前記加熱部材と連続記録媒体との間に挿入された第１の位置と連続記録媒体及び前記加熱部材とから離間する第２の位置との間で移動し、
移動方向における両端部からそれぞれに突出するように連結部が連結されていて、前記連結部を介して、前記接触部に引き込まれるように移動する断熱材。
【発明の詳細な説明】
【技術分野】
【０００１】
本発明は、画像形成装置、定着装置及び断熱材に関する。
【背景技術】
【０００２】
特許文献１には、トナー像が形成された長尺紙の定着面側に配置される定着面側部材と、前記定着面側部材に圧接された状態において前記長尺紙を狭持して搬送する定着ニップ部を形成する裏面側部材と、前記定着面側部材および前記裏面側部材の両方またはいずれか一方が加熱状態で前記長尺紙が搬送されていないときに、前記長尺紙と前記定着面側部材との間および前記長尺紙と前記裏面側部材との間の少なくとも一方に断熱部材を介挿する断熱部材介挿部と、を備える画像形成装置が記載されている。
【０００３】
特許文献２には、連続紙に画像を形成する画像形成部と、前記画像形成部により画像が形成された前記連続紙を定着処理する定着部と、前記定着部の温度を検知する検知部と、前記検知部により検知されたウォームアップ時およびクールダウン時の少なくとも一方の非画像形成時における前記定着部の温度に応じて搬送される前記連続紙の搬送速度を可変する制御部と、を備えることを特徴とする画像形成装置が記載されている。
【先行技術文献】
【特許文献】
【０００４】
【特許文献１】特開２０１６−１１８６３１号公報
【特許文献２】特開２０１６−９５４１８号公報
【発明の概要】
【発明が解決しようとする課題】
【０００５】
加熱部材と連続記録媒体との接触部に断熱材を挿入する際に、断熱材が確実に挿入されない虞がある。
【０００６】
本発明は、断熱材の剛性を用いて、断熱材を押し込むようにして、断熱材を加熱部材と連続記録媒体との接触部へと挿入する場合と比較して、接触部に断熱材を確実に挿入することができる画像形成装置、定着装置及び断熱材を提供することを目的とする。
【課題を解決するための手段】
【０００７】
請求項１に係る本発明は、
連続記録媒体の表面にトナー像を形成する像形成部と、
トナー像が形成された連続記録媒体に接触し、接触した連続記録媒体を加熱する加熱部材と、
前記加熱部材と連続記録媒体とが接触する接触部に挿入される断熱材と、
前記断熱材を、前記加熱部材と連続記録媒体との間に挿入された第１の位置と、連続記録媒体及び前記加熱部材とから離間する第２の位置との間で移動させる移動機構と、
を有し、
前記断熱材には、移動方向における両端側からそれぞれに突出するように連結部が連結されていて、
前記移動機構は、前記連結部を介して、前記接触部に引き込むように前記断熱材を移動させる画像形成装置である。
【０００８】
請求項２に係る本発明は、前記移動機構は、前記断熱材を一端部側から巻き取る巻取部を有する請求項１記載の画像形成装置である。
【０００９】
請求項３に係る本発明は、前記巻取部は、連続記録媒体の移動方向における前記接触部の上流側から、連続記録媒体の移動方向における前記接触部の下流側へと前記断熱材を移動させるように前記断熱材を巻き取る請求項２記載の画像形成装置である。
【００１０】
請求項４に係る本発明は、前記移動機構は、前記断熱材を、他端部側から巻き取る他の巻取部をさらに有する請求項１から３いずれか記載の画像形成装置である。
【００１１】
請求項５に係る本発明は、前記他の巻取部は、連続記録媒体の移動方向における前記接触部の下流側から、連続記録媒体の移動方向における前記接触部の上流側へと前記断熱材を移動させるように前記断熱材を巻き取る請求項４記載の画像形成装置である。
【００１２】
請求項６に係る本発明は、連続記録媒体の前記加熱部材が接触する側の面とは逆側の面に接触し、連続記録媒体を前記加熱部材に押し付ける押付部材をさらに有する請求項１から５いずれか記載の画像形成装置である。
【００１３】
請求項７に係る本発明は、前記押付部材は、前記加熱部材に接触する接触位置と前記加熱部材から離間する離間する離間位置の間で移動する請求項６記載の画像形成装置である。
【００１４】
請求項８に係る本発明は、連続記録媒体の加熱部材が接触する側の面とは逆側の面に接触し、連続記録媒体を加熱する補助加熱部材をさらに有する請求項１から５いずれか記載の画像形成装置である。
【００１５】
請求項９に係る本発明は、前記補助加熱部材は、前記加熱部材に接触する接触位置と前記加熱部材から離間する離間位置との間で移動する請求項８記載の画像形成装置である。
【００１６】
請求項１０に係る本発明は、
前記断熱材は、
熱絶縁材料から形成されている第１の層と、
連続記録媒体に接触し、連続記録媒体に接触する面の動摩擦係数が前記第１の層よりも低い第２の層と、
を有する請求項１から９いずれか記載の画像形成装置である。
【００１７】
請求項１１に係る本発明は、前記断熱材は、前記加熱部材に接触し、前記加熱部材に接触する面の動摩擦係数が前記第１の層よりも低い第３の層をさらに有する請求項１０記載の画像形成装置である。
【００１８】
請求項１２に係る本発明は、連続記録媒体と前記断熱材との間に空気を吹き付ける吹付装置をさらに有する請求項１から１１記載の画像形成装置である。
【００１９】
請求項１３に係る本発明は、前記吹付装置は、連続記録媒体の搬送方向における上流側から連続記録媒体の搬送方向における下流側へと向けて空気を吹き付ける請求項１２記載の画像形成装置である。
【００２０】
請求項１４に係る本発明は、前記断熱材は、前記吹付け装置が吹き付けた空気を、連続記録媒体が移動する方向と交わる方向に広がるように案内する案内部を有する請求項１２又は１３記載の画像形成装置である。
【００２１】
請求項１５に係る本発明は、
トナー像が形成された連続記録媒体に接触し、接触した連続記録媒体を加熱する加熱部材と、
前記加熱部材と連続記録媒体とが接触する接触部に挿入される断熱材と、
前記断熱材を、前記加熱部材と連続記録媒体との間に挿入された第１の位置と、連続記録媒体及び前記加熱部材とから離間する第２の位置との間で移動させる移動機構と、
を有し、
前記断熱材には、移動方向における両端側からそれぞれに突出するように連結部が連結されていて、
前記移動機構は、前記連結部を介して、前記接触部に引き込むように前記断熱材を移動させる定着装置である。
【００２２】
請求項１６に係る本発明は、
トナー像が形成された連続記録媒体に接触して連続記録媒体を加熱する加熱部材と連続記録媒体との間に挿入され、
前記加熱部材と連続記録媒体との間に挿入された第１の位置と連続記録媒体及び前記加熱部材とから離間する第２の位置との間で移動し、
移動方向における両端部からそれぞれに突出するように連結部が連結されていて、前記連結部を介して、前記接触部に引き込まれるように移動する断熱材である。
【発明の効果】
【００２３】
請求項１に係る本発明によれば、断熱材の剛性を用いて、断熱材を押し込むようにして、断熱材を接触部へと挿入する場合と比較して、接触部に断熱材を確実に挿入することができる画像形成装置を提供することができる。
【００２４】
請求項２に係る本発明によれば、断熱材を巻き取らずに移動させる場合と比較して、移動機構を小型化することができる。
【００２５】
請求項３に係る本発明によれば、連続記録媒体の移動方向における接触部の下流側から続記録媒体の移動方向における接触部の上流側へと断熱材を移動させる場合と比較して、連続記録媒体に弛みを生じにくくすることができる。
【００２６】
請求項４に係る本発明によれば、断熱材を巻き取らずに移動させる場合と比較して、移動機構を小型化することができる。
【００２７】
請求項５に係る本発明によれば、続記録媒体の移動方向において断熱材を往復させるように、断熱材を二方向に移動させることができる。
【００２８】
請求項６に係る本発明によれば、押付部材を有しない場合と比較して、連続記録媒体を加熱部材に確実に接触させることができる。
【００２９】
請求項７に係る本発明によれば、押付部材が離間位置へと移動しない場合と比較して、連続記録媒体を容易に取り付けることができる。
【００３０】
請求項８に係る本発明によれば、補助加熱部材を有しない場合と比較して、連続記録媒体を確実に加熱することができる。
【００３１】
請求項９に係る本発明によれば、加熱部材が離間位置へと移動しない場合と比較して、連続記録媒体を容易に取り付けることができる。
【００３２】
請求項１０に係る本発明によれば、第２の層を有しない場合として、連続記録媒体の移動を滑らかにすることができる。
【００３３】
請求項１１に係る本発明によれば、第３の層を有しない場合と比較して、断熱材の移動を滑らかにすることができる。
【００３４】
請求項１２に係る本発明によれば、吹付装置を有しない場合と比較して、連続記録媒体の温度上昇を抑えることができる。
【００３５】
請求項１３に係る本発明によれば、連続記録媒体の搬送方向における下流側から連続記録媒体の搬送方向における上流側へと向けて空気を吹き付ける場合と比較して、空気を吹き付けることによる連続記録媒体の搬送不良を生じにくくすることができる。
【００３６】
請求項１４に係る本発明によれば、案内部を有しない場合と比較して、連続記録媒体が移動する方向と交わる方向において、記録媒体を均一に冷却することができる。
【００３７】
請求項１５に係る本発明によれば、断熱材の剛性を用いて、断熱材を押し込むようにして、断熱材を接触部へと挿入する場合と比較して、接触部に断熱材を確実に挿入することができる定着装置を提供することができる。
【００３８】
請求項１６に係る本発明によれば、断熱材の剛性を用いて、断熱材を押し込むようにして、断熱材を接触部へと挿入する場合と比較して、接触部に断熱材を確実に挿入することができる断熱材を提供することができる。
【図面の簡単な説明】
【００３９】
【図１】本発明の実施形態で用いられる画像形成装置の概略構成を示す図である。
【図２】定着装置と冷却装置とを示す図である。
【図３】定着装置近傍の構成を示す図である。
【図４】広げた状態の断熱シートの主加熱ロールに接する側の面を示す図である。
【図５】断熱シートの断面を示す図である。
【図６】主加熱ロールに断熱シートが接触する状態を示す図である。
【図７】移動機構の動作を説明し、図７（Ａ）は、第１の位置にある断熱シートを示す図であり、図７（Ｂ）は、第２に位置にある断熱シートを示す図である。
【図８】広げた状態の断熱シートの連続紙に接する側の面を示す図である。
【発明を実施するための形態】
【００４０】
以下、本発明の実施形態について図面を参照して詳細に説明する。図１には、本発明の実施形態である画像形成装置１０が示されている。図１に示すように、画像形成装置１０は、供給ユニット５０と、回収ユニット６０と、画像形成ユニット１００とを有する。
【００４１】
供給ユニット５０は、ロール状に巻かれた連続紙Ｐを画像形成ユニット１００に供給するユニットである。ここで、連続紙Ｐは、連続記録媒体の一例である。供給ユニット５０は、回転することにより連続紙Ｐを送り出す送出装置５２と、連続紙Ｐの弛みを防止する弛み防止装置５４とを有する。
【００４２】
回収ユニット６０は、画像形成ユニット１００で画像が形成された連続紙Ｐを回収する装置であって、連続紙Ｐを巻き取る巻取装置６２と、連続紙Ｐの弛みを防止する弛み防止装置６４とを有する。
【００４３】
画像形成ユニット１００は、画像形成ユニット本体１１２を有し、画像形成ユニット本体１１２内に、連続紙Ｐの表面にトナー像を形成する画像形成部１２０が配置されている。
【００４４】
画像形成部１２０は、イエローのトナー像を形成するトナー像形成部１３０Ｙと、マゼンタのトナー像を形成するトナー像形成部１３０Ｍと、シアンのトナー像を形成するトナー像形成部１３０Ｃと、黒のトナー像を形成するトナー像形成部１３０Ｋとを有する。
【００４５】
画像形成部１２０は、転写装置１４０をさらに有する。転写装置１４０は、中間転写体１４２を有し、トナー像形成部１３０Ｙ、トナー像形成部１３０Ｍ、トナー像形成部１３０Ｃ、トナー像形成部１３０Ｋでそれぞれに形成されたトナー像を中間転写体１４２に転写し、中間転写体１４２に転写されたトナー像を連続紙Ｐにさらに転写する。
【００４６】
画像形成ユニット本体１１２内には、定着装置２００がさらに配置されている。定着装置２００は、連続紙Ｐに転写されたトナー像を熱を用いて連続紙Ｐに定着させる。尚、定着装置２００の詳細は後述する。
【００４７】
画像形成ユニット本体１１２内には、冷却装置６００がさらに配置されている。冷却装置６００は、定着装置２００で加熱された連続紙Ｐを冷却する。尚、冷却装置６００の詳細は後述する。
【００４８】
画像形成装置本体内には、連続紙Ｐを支持するとともに、連続紙Ｐを搬送する搬送ロール７０、７２、７４、７６、８０がさらに配置されている。尚、図１中における矢印は、連続紙Ｐの搬送方向（移動方向）を示している。
【００４９】
図２には、定着装置２００と冷却装置６００とが示されている。尚、図２においては、図示の便宜上、後述する断熱シート３００と、後述する移動機構４００との図示を省略している。図２に示すように定着装置２００は、主加熱ロール２１０を有する。主加熱ロール２１０は、加熱部材の一例であって、トナー像が形成された連続紙Ｐのトナー像が転写された側の面とは逆側の面に接触し、連続紙Ｐを加熱する。主加熱ロール２１０の内側には、例えばハロゲンランプ等の熱源２１２が設けられている。連続紙Ｐは、搬送ロール７２によって主加熱ロール２１０の表面へと案内され、主加熱ロール２１０の表面に巻き付くように移動する。
【００５０】
定着装置２００は、補助加熱ロール２２０をさらに有する。補助加熱ロール２２０は、補助加熱部材の一例であって、例えばハロゲンランプ等の熱源２２２を有し、連続紙Ｐの主加熱ロール２１０が接する側の面とは逆側の面、すなわち、連続紙Ｐのトナー像が転写された側の面に接触して連続紙Ｐを加熱する。補助加熱ロール２２０は、押付部材の一例でもあって、連続紙Ｐの主加熱ロール２１０が接触する側の面とは逆側の面に接触し、主加熱ロール２１０との間に連続紙Ｐを挟み込むようにして、連続紙Ｐを主加熱ロールに押し付ける。
【００５１】
また、補助加熱ロール２２０は、図２に実線で示す主加熱ロール２１０に接触する接触位置と、図２に二点鎖線で示す主加熱ロール２１０離間位置との安打移動可能となっている。
【００５２】
冷却装置６００は、連続紙Ｐを巻き付かせるように支持する支持部材６１０と、支持部材６１０の周囲に配置された、例えば複数の冷却部６２０とを有する。
【００５３】
以下の説明において、主加熱ロール２１０と連続紙Ｐとが接触する部分（連続紙Ｐが主加熱ロール２１０に巻き付いている部分）を、接触部Ｎと称する。
【００５４】
以上のように構成された画像形成装置１０においては、画像形成を開始するに先立って、主加熱ロール２１０と補助加熱ロール２２０とを予め定められた温度に到達するまで予備加熱することを要する。そして、予め連続紙Ｐが定着装置２００に装着された状態から画像形成を開始する場合は、連続紙Ｐが主加熱ロール２１０に巻きついたままの状態であって、かつ連続紙Ｐが停止した状態で主加熱ロール２１０を予備加熱することを要する。この際、連続紙Ｐの主加熱ロール２１０に接触する部分が過度に加熱される虞があるため、主加熱ロール２１０から連続紙Ｐへの熱伝導を遮断又は抑制することが望ましい。
【００５５】
図３には、定着装置２００近傍の構成が示されている。図３に示すように、画像形成装置１０は、断熱シート３００を有する。断熱シート３００は断熱材の一例であって、主加熱ロール２１０と連続紙Ｐとが接触する接触部Ｎ（図２を参照）挿入される。断熱シート３００は、矢印ａ１と矢印ａ２とで示す移動方向に移動可能である。
【００５６】
断熱シート３００には、移動方向における両端側からそれぞれに突出するように、連結部３８０が連結されている。
【００５７】
図３に示すように、画像形成装置１０は、移動機構４００をさらに有する。移動機構４００は、断熱シート３００を、図３に示す位置である接触部Ｎに挿入された第１の位置と、接触部Ｎから離間する第２の位置（図７（Ｂ）を参照）との間で移動させる機構であり、第１巻取部４１０と、第２巻取部４２０とを有する。
【００５８】
第１巻取部４１０は、断熱シート３００を一端側から巻き取る機構であり、連結部３８０が固定された回転軸４１２を有し、回転軸４１２が矢印ｂ１方向に回転することで連結部３８０及び断熱シート３００を巻き取るようにして、断熱シート３００を矢印ａ１方向に移動させる。すなわち、第１巻取部４１０は、断熱シート３００の移動方向における接触部Ｎの上流側から、断熱シート３００の移動方向における下流側へと断熱シート３００を移動させるように、連結部３８０及び断熱シート３００を巻き取る。
【００５９】
第２巻取部４２０は、断熱シート３００を他端側から巻き取る他の巻取部の一例であって、連結部３８０が固定された回転軸４２２を有し、回転軸４２２が矢印ｂ２方向に回転することで連結部３８０及び断熱シート３００を巻き取るようにして、断熱シート３００を矢印ａ２方向に移動させる。すなわち、第２巻取部４２０は、断熱シート３００の移動方向における接触部Ｎの下流側から、断熱シート３００の移動方向における上流側へと断熱シート３００を移動させるように、連結部３８０及び断熱シート３００を巻き取る。
【００６０】
図３に示すように画像形成装置１０は、ファン装置５００をさらに有する。ファン装置５００は、吹付装置の一例であって、連続紙Ｐと断熱シート３００との間に空気を吹き付ける。ファン装置５００は、図３に実線で示すように、連続紙Ｐの搬送方向における上流側から連続紙Ｐの搬送方向における下流側へと向けて空気を吹き付けるように配置してもよいし、図３に二点鎖線で示すように、連続紙Ｐの搬送方向における下流側から連続紙Ｐの搬送方向における上流側へと向けて空気を吹き付けるように配置してもよい。
【００６１】
図４には、広げた状態における断熱シート３００の主加熱ロール２１０に接する側の面が示されている。先述のように、断熱シート３００には連結部３８０が取り付けられている。より具体的には、断熱シート３００には、断熱シートの移動方向と交わる方向における両端部近傍に、それぞれ１つの連結部３８０が取り付けられている。
【００６２】
図５には、断熱シート３００の断面が示されている。図３に示すように、断熱シート３００は、第１の層３１０と、第２の層３１２と、第３の層３１４とを有する。第１の層３１０は熱絶縁性材料から形成されている。第１の層３１０の具体的材質としては、例えば、フェルト状のシリコンスポンジ等を用いことができる。また、第１の層３１０は、主加熱ロール２１０に倣って変形可能なように柔軟性を有する材質から形成されることが望ましい。また、第１の層３１０は、主加熱ロール２１０の表面の温度である１６０度から２００度程度の熱に耐える耐熱性を有する材質から形成されることが望ましい。
【００６３】
第２の層３１２は、連続紙Ｐに接触する層であり、少なくとも連続紙Ｐに接触する側の面の動摩擦係数が第１の層３１０よりも低い。第２の層の具体的な材料としては、例えば、フッ素樹脂のフィルム、フッ素樹脂のフィルム、ポリイミドのシート等を用いることができる。
【００６４】
第３の層３１４は、主加熱ロール２１０に接触する層であり、少なくとも主加熱ロール２１０に接する側の面の動摩擦係数が第１の層３１０よりも低い。第３の層の具体的な材料としては、例えば、フッ素樹脂のフィルム、フッ素樹脂のフィルム、ポリイミドのシート等を用いることができる。図３に示すように、連結部３８０は、第３の層３１４に対して、主加熱ロール２１０側に突出するように装着されている。
【００６５】
断熱シート３００の厚さｔは、例えば、５ｍｍから１０ｍｍである。
【００６６】
図６には、主加熱ロール２１０に断熱シート３００が接触する状態が示されている。図６に示すように、主加熱ロール２１０には、長手方向における両端側に、段差部２１４、２１４がそれぞれに形成されている。そして、段差部２１４、２１４に連結部３８０、３８０が嵌まり込むようにして、断熱シート３００が主加熱ロール２１０に接触する状態となる。
【００６７】
図７には、移動機構４００の動作が説明されていて、図７（Ａ）は、第１の位置にある断熱シート３００を示す図であり、図７（Ｂ）は、第２に位置にある断熱シート３００を示す図である。
【００６８】
図７（Ａ）に示す第１の状態から、回転軸４１２が矢印ｂ１方向に回転すると、連結部３８０及び断熱シート３００が回転軸４１２に巻き取られて、連結部３８０及び断熱シート３００が矢印ａ１方向に移動して、図７（Ｂ）に示す第２の状態となる。また、図７（Ｂ）に示す第２の状態から、回転軸４２２が矢印ｂ２方向に回転すると、連結部３８０及び断熱シート３００が回転軸４２２に巻き取られて、連結部３８０及び断熱シート３００が矢印ａ２方向に移動して、図７（Ａ）に示す第１の状態となる。
【００６９】
また、図７（Ａ）に示す第１の状態から、回転軸４２２が矢印ｂ２方向に回転すると、連結部３８０及び断熱シート３００が矢印ａ２方向に移動して、連結部３８０及び断熱シート３００が回転軸４２２に巻き取られた状態（不図示）となる。また、連結部３８０及び断熱シート３００が回転軸４２２に巻き取られた状態から、回転軸４１２が矢印ｂ１方向に回転すると、連結部３８０及び断熱シート３００が矢印ａ１方向に移動して、図７（Ａ）に示す第１の状態となる。
【００７０】
図８には、広げた状態における断熱シート３００が、連続紙Ｐに接する側の面から示されている。図８に示すように、断熱シート３００に連続紙Ｐに接する面には、溝３３０が形成されている。溝３３０は、案内部の一例であって、ファン装置５００が吹き付けた空気を連続紙Ｐが移動する方向と交わる方向に広がるように案内している。
【符号の説明】
【００７１】
１０・・・画像形成装置
１２０・・・画像形成部
２００・・・定着装置
２１０・・・主加熱ロール
２１４・・・段差部
２２０・・・補助加熱ロール
３００・・・断熱シート
３１０・・・第１の層
３１２・・・第２の層
３１４・・・第３の層
３３０・・・溝
３８０・・・連結部
４００・・・移動機構
４１０・・・第１巻取部
４１２・・・回転軸
４２０・・・巻取部
４２２・・・回転軸
５００・・・ファン装置
【図１】
2019053201.tif 000003
【図２】
2019053201.tif 000004
【図３】
2019053201.tif 000005
【図４】
2019053201.tif 000006
【図５】
2019053201.tif 000007
【図６】
2019053201.tif 000008
【図７】
2019053201.tif 000009
【図８】
2019053201.tif 000010